(57)【要約】【課題】不吐出ノズルにより発生する白筋を目立たなくする補正を行う場合において、不吐出ノズルに隣接する隣接ノズルから吐出される液滴の着弾位置がずれた際における補正効果の低下を抑制する。【解決手段】記録媒体に対して画像を形成する場合に液滴が吐出されない不吐出ノズルに隣接する隣接ノズルから吐出される液滴の予め定められた着弾位置を示す基本情報と、前記隣接ノズルから吐出された液滴の着弾位置の位置情報とから、前記隣接ノズルの着弾位置のずれを算出するとともに、前記着弾位置のずれを用いて前記隣接ノズルに対応する画素の画素値を補正するための補正値を算出する算出部と、前記隣接ノズルに対応する画素の画素値を、前記算出部により算出された前記補正値を用いて補正する補正部と、を備える。【選択図】図３
2020026076.tif 000002
【特許請求の範囲】
【請求項１】
記録媒体に対して画像を形成する場合に液滴が吐出されない不吐出ノズルに隣接する隣接ノズルから吐出される液滴の予め定められた着弾位置を示す基本情報と、前記隣接ノズルから吐出された液滴の着弾位置の位置情報とから、前記隣接ノズルの着弾位置のずれを算出するとともに、前記着弾位置のずれを用いて前記隣接ノズルに対応する画素の画素値を補正するための補正値を算出する算出部と、
前記隣接ノズルに対応する画素の画素値を、前記算出部により算出された前記補正値を用いて補正する補正部と、
を備える画像処理装置。
【請求項２】
前記算出部は、前記記録媒体の搬送方向に対する交差方向に前記着弾位置のずれが生じた場合、前記交差方向の向きに応じて、前記補正部により行われる補正の補正強度が変化するよう前記補正値を算出する請求項１に記載の画像処理装置。
【請求項３】
前記算出部は、前記交差方向の向きが前記不吐出ノズルから離れる方向である場合には、前記交差方向の向きが前記不吐出ノズルに近付く方向である場合に比べて、前記補正強度が強くなるよう前記補正値を算出する請求項２に記載の画像処理装置。
【請求項４】
前記算出部は、前記交差方向の向きが前記不吐出ノズルに近付く方向である場合には、前記交差方向の向きが前記不吐出ノズルから離れる方向である場合に比べて、前記補正強度が弱くなるよう前記補正値を算出する請求項２又は請求項３に記載の画像処理装置。
【請求項５】
前記算出部は、更に、前記隣接ノズルに対応する画素の画素値を用いて前記補正値を算出する請求項１から請求項４の何れか１項に記載の画像処理装置。
【請求項６】
前記補正部は、前記補正部により行われる補正に関する補正情報が格納された複数の対応表から、前記算出部により算出された前記補正値を用いて、当該補正で用いる前記対応表を決定し、当該決定した前記対応表の前記補正情報を用いる請求項１から請求項５の何れか１項に記載の画像処理装置。
【請求項７】
前記補正部は、前記補正部により行われる補正に関する補正情報が格納された対応表から、当該補正で用いる前記補正情報を決定し、当該決定した前記補正情報及び前記算出部により算出された前記補正値を用いて、前記隣接ノズルに対応する画素の画素値を補正する請求項１から請求項５の何れか１項に記載の画像処理装置。
【請求項８】
前記算出部は、着弾干渉を考慮して前記補正値を算出する請求項１から請求項７の何れか１項に記載の画像処理装置。
【請求項９】
前記算出部は、非浸透性の前記記録媒体を用いた場合には、非浸透性の前記記録媒体以外の前記記録媒体を用いた場合に比べて、前記補正部により行われる補正の補正強度が強くなるよう前記補正値を算出する請求項８に記載の画像処理装置。
【請求項１０】
前記算出部は、第１の液滴に隣接し、前記第１の液滴の後に前記記録媒体に着弾する第２の液滴に対し、前記第１の液滴に比べて、前記補正部により行われる補正の補正強度が強くなるよう前記補正値を算出する請求項８又は請求項９に記載の画像処理装置。
【請求項１１】
コンピュータを請求項１から請求項１０の何れか１項に記載の画像処理装置の算出部及び補正部として機能させるための画像処理プログラム。
【請求項１２】
請求項１から請求項１０の何れか１項に記載の画像処理装置と、
前記画像処理装置により画像処理が行われた画像を前記記録媒体に形成する画像形成部と、
を備える画像形成装置。
【発明の詳細な説明】
【技術分野】
【０００１】
本発明は、画像処理装置、画像処理プログラム及び画像形成装置に関する。
【背景技術】
【０００２】
特許文献１には、不吐出ノズルのような記録不能な素子が発生した場合にも高精度の濃度補正（スジムラ抑制）を実現できる画像記録装置及び方法並びにその補正処理に有益な画像処理プログラムが記載されている。
【先行技術文献】
【特許文献】
【０００３】
【特許文献１】特開２００９−２４１２７１号公報
【発明の概要】
【発明が解決しようとする課題】
【０００４】
本発明は、不吐出ノズルにより発生する白筋を目立たなくする補正を行う場合において、不吐出ノズルに隣接する隣接ノズルから吐出される液滴の着弾位置がずれた際における補正効果の低下を抑制する。
【課題を解決するための手段】
【０００５】
第１の態様の画像処理装置は、記録媒体に対して画像を形成する場合に液滴が吐出されない不吐出ノズルに隣接する隣接ノズルから吐出される液滴の予め定められた着弾位置を示す基本情報と、前記隣接ノズルから吐出された液滴の着弾位置の位置情報とから、前記隣接ノズルの着弾位置のずれを算出するとともに、前記着弾位置のずれを用いて前記隣接ノズルに対応する画素の画素値を補正するための補正値を算出する算出部と、前記隣接ノズルに対応する画素の画素値を、前記算出部により算出された前記補正値を用いて補正する補正部と、を備える。
【０００６】
第２の態様の画像処理装置は、第１の態様の画像処理装置であって、前記算出部は、前記記録媒体の搬送方向に対する交差方向に前記着弾位置のずれが生じた場合、前記交差方向の向きに応じて、前記補正部により行われる補正の補正強度が変化するよう前記補正値を算出する。
【０００７】
第３の態様の画像処理装置は、第２の態様の画像処理装置であって、前記算出部は、前記交差方向の向きが前記不吐出ノズルから離れる方向である場合には、前記交差方向の向きが前記不吐出ノズルに近付く方向である場合に比べて、前記補正強度が強くなるよう前記補正値を算出する。
【０００８】
第４の態様の画像処理装置は、第２又は第３の態様の画像処理装置であって、前記算出部は、前記交差方向の向きが前記不吐出ノズルに近付く方向である場合には、前記交差方向の向きが前記不吐出ノズルから離れる方向である場合に比べて、前記補正強度が弱くなるよう前記補正値を算出する。
【０００９】
第５の態様の画像処理装置は、第１から第４の態様の何れかの画像処理装置であって、前記算出部は、更に、前記隣接ノズルに対応する画素の画素値を用いて前記補正値を算出する。
【００１０】
第６の態様の画像処理装置は、第１から第５の態様の何れかの画像処理装置であって、前記補正部は、前記補正部により行われる補正に関する補正情報が格納された複数の対応表から、前記算出部により算出された前記補正値を用いて、当該補正で用いる前記対応表を決定し、当該決定した前記対応表の前記補正情報を用いる。
【００１１】
第７の態様の画像処理装置は、第１から第５の態様の何れかの画像処理装置であって、前記補正部は、前記補正部により行われる補正に関する補正情報が格納された対応表から、当該補正で用いる前記補正情報を決定し、当該決定した前記補正情報及び前記算出部により算出された前記補正値を用いて、前記隣接ノズルに対応する画素の画素値を補正する。
【００１２】
第８の態様の画像処理装置は、第１から第７の態様の何れかの画像処理装置であって、前記算出部は、着弾干渉を考慮して前記補正値を算出する。
【００１３】
第９の態様の画像処理装置は、第８の態様の画像処理装置であって、前記算出部は、非浸透性の前記記録媒体を用いた場合には、非浸透性の前記記録媒体以外の前記記録媒体を用いた場合に比べて、前記補正部により行われる補正の補正強度が強くなるよう前記補正値を算出する。
【００１４】
第１０の態様の画像処理装置は、第８又は第９の態様の画像処理装置であって、前記算出部は、第１の液滴に隣接し、前記第１の液滴の後に前記記録媒体に着弾する第２の液滴に対し、前記第１の液滴に比べて、前記補正部により行われる補正の補正強度が強くなるよう前記補正値を算出する。
【００１５】
第１１の態様の画像処理プログラムは、コンピュータを第１から第１０の態様の画像処理装置の算出部及び補正部として機能させる。
【００１６】
第１２の態様の画像形成装置は、第１から第１０の態様の画像処理装置と、前記画像処理装置により画像処理が行われた画像を前記記録媒体に形成する画像形成部と、を備える。
【発明の効果】
【００１７】
第１の態様によれば、不吐出ノズルにより発生する白筋を目立たなくする補正を行う場合において、不吐出ノズルに隣接する隣接ノズルから吐出される液滴の着弾位置がずれた際における補正効果の低下を抑制できる。
【００１８】
第２の態様によれば、着弾位置のずれが生じた交差方向の向きにかかわらず、一律に補正強度を一方向に変化させる構成に比べて、着弾位置のずれに応じた補正強度で補正を行うことができる。
【００１９】
第３の態様によれば、交差方向の向きが不吐出ノズルから離れる方向である場合に、交差方向の向きが不吐出ノズルに近付く方向である場合よりも補正強度が弱い補正値が算出される構成に比べて、補正後に白筋が残ることを抑制できる。
【００２０】
第４の態様によれば、交差方向の向きが不吐出ノズルに近付く方向である場合に、交差方向の向きが不吐出ノズルから離れる方向である場合よりも補正強度が強い補正値が算出される構成に比べて、補正後に黒筋が発生することを抑制できる。
【００２１】
第５の態様によれば、補正値の算出に隣接ノズルに対応する画素の画素値を用いない構成に比べて、隣接ノズルに対応する画素の画素値に応じた補正強度で補正を行うことができる。
【００２２】
第６の態様によれば、隣接ノズルに対応する画素に画像を形成する都度、隣接ノズルに対応する画素の画素値を算出する構成に比べて、簡易に隣接ノズルに対応する画素に画像を形成できる。
【００２３】
第７の態様によれば、一定の補正値の範囲内で共通の補正強度で補正を行う構成に比べて、精度よく隣接ノズルに対応する画素の画素値の補正を行うことができる。
【００２４】
第８の態様によれば、補正値の算出に着弾干渉を考慮しない構成に比べて、着弾干渉が生じた場合でも、精度よく不吐出ノズルにより発生する白筋を目立たなくすることができる。
【００２５】
第９の態様によれば、非浸透性の記録媒体を用いた場合に、非浸透性の記録媒体以外の記録媒体を用いた場合よりも補正強度が弱い補正値が算出される構成に比べて、浸透性の記録媒体を用いた場合でも、精度よく不吐出ノズルにより発生する白筋を目立たなくすることができる。
【００２６】
第１０の態様によれば、第２の液滴が補正滴となった場合に、その第２の液滴に対して、第１の液滴が補正滴となった場合よりも補正強度が弱い補正値が算出される構成に比べて、精度よく不吐出ノズルにより発生する白筋を目立たなくすることができる。
【００２７】
第１１の態様によれば、不吐出ノズルにより発生する白筋を目立たなくする補正を行う場合において、不吐出ノズルに隣接する隣接ノズルから吐出される液滴の着弾位置がずれた際における補正効果の低下を抑制できる。
【００２８】
第１２の態様によれば、不吐出ノズルにより発生する白筋を目立たなくする補正を行う場合において、不吐出ノズルに隣接する隣接ノズルから吐出される液滴の着弾位置がずれた際における補正効果の低下を抑制できる。
【図面の簡単な説明】
【００２９】
【図１】第１の実施形態における画像形成装置の構成の一例を示す図である。
【図２】第１の実施形態における制御部等の構成を示すブロック図である。
【図３】第１の実施形態における着弾位置のずれの一例を示す図である。
【図４】第１の実施形態における着弾位置のずれの一例を示す図である。
【図５】第１の実施形態における着弾位置のずれの一例を示す図である。
【図６】第１の実施形態における元データテーブルの一例を示す図である。
【図７】第１の実施形態における調整値テーブルの一例を示す図である。
【図８】第１の実施形態における調整値テーブルの一例を示す図である。
【図９】第１の実施形態における調整値テーブルの一例を示す図である。
【図１０】第１の実施形態における調整値テーブルの一例を示す図である。
【図１１】第１の実施形態における補正テーブルの一例を示す図である。
【図１２】第１の実施形態における補正テーブルの一例を示す図である。
【図１３】第１の実施形態における補正テーブルの一例を示す図である。
【図１４】第１の実施形態における補正テーブルの一例を示す図である。
【図１５】第１の実施形態における補正テーブルの一例を示す図である。
【図１６】第２の実施形態における補正テーブルの一例を示す図である。
【発明を実施するための形態】
【００３０】
以下、図面を参照して、本実施の形態について説明する。なお、本実施の形態では、本発明に係る画像処理装置をインクジェット方式の画像形成装置１０に適用した形態を例示して説明する。
【００３１】
（第１の実施形態）
まず、画像形成装置１０の構成について説明する。
図１に示すように、画像形成装置１０は、ヘッドユニット２６、給紙ロール２２、巻取ロール２４、制御部５０、乾燥部３０、及び画像読取部４０を備えている。
【００３２】
ヘッドユニット２６は、記録媒体としての連帳紙（ロール紙）Ｐに液滴としてのインク滴を吐出して連帳紙Ｐに画像を形成するものである。ヘッドユニット２６は、画像形成部の一例である。このヘッドユニット２６は、Ｋ（ブラック）色の画像を形成するインクジェットヘッド１２Ｋと、Ｃ（シアン）色の画像を形成するインクジェットヘッド１２Ｃと、Ｍ（マゼンタ）色の画像を形成するインクジェットヘッド１２Ｍと、Ｙ（イエロー）色の画像を形成するインクジェットヘッド１２Ｙとを備えている。
【００３３】
そして、各インクジェットヘッド１２は、Ｋ→Ｃ→Ｍ→Ｙの順番で連帳紙Ｐの搬送方向Ｓに沿って配置されている。なお、各インクジェットヘッド１２が整列する順番は一例であって、上記の順番に限定されることはない。また、以後の説明では、Ｃ、Ｍ、Ｙ、Ｋを区別しない場合には、符号に付しているＣ、Ｍ、Ｙ、Ｋを省略する。なお、第１の実施形態における画像形成装置１０は、所謂シングルパス方式であり、インクジェットヘッド１２が連帳紙Ｐの各位置を１回だけ通過することにより印刷が行われる。ただし、画像形成装置１０は、シングルパス方式に限定されるものではない。
【００３４】
ここで、第１の実施形態では、制御部５０が各ヘッドユニット２６のノズルを識別するために、各ヘッドユニット２６のノズルに１、２、・・・と１から順番にノズル番号を付与している。そして、第１の実施形態では、ノズル番号を４で割った余りが後述する識別番号に対応している。例えば、ノズル番号が「５」の場合、ノズル番号を４で割った余りである「１番」の識別番号となり、ノズル番号が「６」の場合、ノズル番号を４で割った余りである「２番」の識別番号となる。
【００３５】
給紙ロール２２は、図示しないフレーム部材に回転可能に支持されている。この給紙ロール２２には、連帳紙Ｐが巻き付けられている。そして、給紙ロール２２は、図１を正面視して時計回りに回転することで、ヘッドユニット２６に対して連帳紙Ｐを供給する。
【００３６】
巻取ロール２４は、図示しないフレーム部材に回転可能に支持されている。そして、巻取ロール２４が図示しないモータから回転力を受けて図１を正面視して時計回りに回転することで連帳紙Ｐが巻き取られ、連帳紙Ｐが搬送方向Ｓに沿って搬送される。
【００３７】
制御部５０は、画像形成装置１０の動作を制御するものである。制御部５０の詳細については後述する。
【００３８】
乾燥部３０は、ヘッドユニット２６よりも搬送方向Ｓの下流側に配置されている。この乾燥部３０は、連帳紙Ｐに向けて発熱源（光）を照射し、発熱源（光）に依存する発熱により連帳紙Ｐに吐出されたインク滴を乾燥させて、連帳紙Ｐへの画像の定着を図るものである。
【００３９】
画像読取部４０は、乾燥部３０よりも搬送方向Ｓの下流側、かつ巻取ロール２４よりも搬送方向Ｓの上流側に配置されている。この画像読取部４０は、ＩＬＳ（Ｉｎ  Ｌｉｎｅ  Ｓｅｎｓｏｒ）とも称され、連帳紙Ｐに記録された画像を読み取るものである。画像読取部４０は、例えば、搬送方向Ｓに対する交差方向Ｔにラインセンサが設けられており、連帳紙Ｐの搬送に応じてラインセンサで読み取りを行うことで、連帳紙Ｐに記録された二次元の画像情報を取得する。そして、画像読取部４０は、取得した画像情報を制御部５０へ送信する。
【００４０】
以上のように構成された画像形成装置１０は、以下のように動作する。
まず、巻取ロール２４が図示しないモータにより、図１を正面視して時計回りに回転する。これにより、給紙ロール２２から供給される連帳紙Ｐは、搬送方向Ｓへの張力が付与されることで搬送方向Ｓに沿って搬送される。その後、連帳紙Ｐは、ヘッドユニット２６によりインク滴が吐出され、画像が形成される。そして、連帳紙Ｐに吐出されたインク滴が乾燥部３０により乾燥されることで、連帳紙Ｐに画像が定着する。連帳紙Ｐに記録された画像は、画像読取部４０に読み取られ、二次元の画像情報として制御部５０へ送信される。
【００４１】
次に、制御部５０と、この制御部５０に接続される構成とについて説明する。
図２に示すように、制御部５０は、ＣＰＵ５１（Ｃｅｎｔｒａｌ  Ｐｒｏｃｅｓｓｉｎｇ  Ｕｎｉｔ）、ＲＯＭ５４（Ｒｅａｄ  Ｏｎｌｙ  Ｍｅｍｏｒｙ）、ＲＡＭ５５（Ｒａｎｄｏｍ  Ａｃｃｅｓｓ  Ｍｅｍｏｒｙ）、及び入出力インターフェース（Ｉ／Ｏ５６）がバスを介して各々接続されている。
【００４２】
ＲＯＭ５４には、ＣＰＵ５１に実行させる各種のプログラムが記憶されている。この各種のプログラムには、少なくとも、コンピュータを後述する算出部５２及び補正部５３として機能させるための画像処理プログラムが含まれている。そして、ＣＰＵ５１は、ＲＯＭ５４から各種のプログラムを読み出してＲＡＭ５５に展開することで、各種のプログラムを実行する。なお、上記の画像処理プログラムは、画像形成装置１０に予めインストールされていてもよいし、不揮発性の記憶媒体に記憶したり、又は、ネットワークを介して配布したりして、画像形成装置１０に適宜インストールしてもよい。不揮発性の記憶媒体の例としては、ＣＤ-ＲＯＭ、光磁気ディスク、ＨＤＤ、ＤＶＤ-ＲＯＭ、フラッシュメモリ、メモリカード等が想定される。
【００４３】
また、Ｉ／Ｏ５６には、通信部６０、不揮発性メモリ６２、ヘッドユニット２６、乾燥部３０及び画像読取部４０が接続されている。
【００４４】
通信部６０は、図示しないパーソナルコンピュータ等の端末装置と画像形成装置１０とが相互にデータ通信を行うためのインターフェースである。
【００４５】
不揮発性メモリ６２には、後述する補正テーブルに格納する出力画素値を生成するための元データとなる出力画素値が格納された元データテーブル（図６参照）と、元データとなる出力画素値に加算する調整値が格納された調整値テーブル（図７から図１０参照）と、複数の補正テーブル（図１１から図１５参照）とが記憶されている。補正テーブルは対応表の一例である。なお、元データテーブル、調整値テーブル、及び補正テーブルの詳細については後述する。
【００４６】
ここで、画像形成装置１０では、連帳紙Ｐに対して画像が形成される場合に、例えば、ヘッドユニット２６のノズルが詰まることでインク滴が吐出されず、連帳紙Ｐの搬送方向Ｓに連続して白筋が発生することがある。以下では、連帳紙Ｐに対して画像が形成される場合にインク滴が吐出されないヘッドユニット２６のノズルを「不吐出ノズル」と称する。
【００４７】
そして、制御部５０のＣＰＵ５１は、上記の白筋の低視認化を図るべく、不吐出ノズルに隣接する隣接ノズルに対応する画素の入力画素値を変動させた出力画素値を用いて画像を形成させるための算出部５２及び補正部５３として機能する。以下では、隣接ノズルに対応する画素の入力画素値を変動させ、対応する出力画素値を生成することを「補正」と称する。
【００４８】
次に、制御部５０のＣＰＵ５１が機能する算出部５２及び補正部５３の詳細について説明する。
まず、算出部５２について説明する。
【００４９】
算出部５２は、不吐出ノズルに隣接する隣接ノズルの着弾位置のずれを算出するものである。「着弾位置のずれ」とは、吐出異常がないとした場合の設計上の理想の着弾位置からのずれ量をいう。なお、この「着弾位置のずれ」の実際の測定値の単位はμｍであるが、以下では数値の後の単位を省略し、数値の前に「＋」又は「−」を付して記載する。「＋」及び「−」の付し方については後述する。
【００５０】
算出部５２は、ヘッドユニット２６により吐出されるインク滴に関する情報を取得するインク滴情報取得処理の中で隣接ノズルの着弾位置のずれを算出する。このインク滴情報取得処理は、制御部５０により制御され、例えば、画像形成装置１０の製造時（出荷時）に実行される。なお、インク滴情報取得処理の実行契機は、これに限らず、画像形成装置１０に対しユーザが操作を行った場合や、予め設定されたインク滴情報取得処理の実行時期に達した場合としてもよい。
【００５１】
インク滴情報取得処理では、まず、ヘッドユニット２６がインク滴の理想の着弾位置が予め定められている印字パターン（以下、「テストパターン」とする）の画像を形成する。なお、このテストパターンの画像データは、制御部５０のＲＯＭ５４に記憶されている。
【００５２】
次に、インク滴情報取得処理では、画像読取部４０がテストパターンの印字結果に基づいて不吐出ノズルを検出する。具体的には、画像読取部４０は、実際にヘッドユニット２６により吐出されたインク滴の着弾位置の位置情報からインク滴の濃度に関する濃度情報を測定し、インク滴が吐出されなかったノズルを「不吐出ノズル」として検出する。
【００５３】
インク滴情報取得処理では、画像読取部４０による不吐出ノズルの検出後、算出部５２がテストパターンの画像データと実際の着弾位置の位置情報とを比較して、隣接ノズルの着弾位置のずれを算出する。なお、インク滴情報取得処理は、算出部５２が隣接ノズルの着弾位置のずれを算出したことに基づいて終了する。テストパターンの画像データは基本情報の一例である。
【００５４】
算出部５２は、搬送方向Ｓに対する交差方向Ｔに着弾位置のずれが生じた場合、交差方向Ｔの向きに応じて、補正部５３により行われる補正の程度を示す補正強度が変化するよう補正値を算出する。また、交差方向Ｔの一方側と他方側を区別する必要がある場合は、図３に示す連帳紙Ｐの右側を＋Ｔ側、左側を−Ｔ側と記載する。
【００５５】
具体的には、算出部５２は、図３に示すように、隣接ノズルの着弾位置のずれが連帳紙Ｐに対して＋Ｔ側に生じた場合は正数で着弾位置のずれを算出し、隣接ノズルの着弾位置のずれが連帳紙Ｐに対して−Ｔ側に生じた場合は負数で着弾位置のずれを算出する。
【００５６】
また、算出部５２は、上記で算出した着弾位置のずれを用いて隣接ノズルに対応する画素の入力画素値を補正するための補正値を算出する。
【００５７】
具体的には、算出部５２は、「不吐出ノズルの＋Ｔ側の隣接ノズルの着弾位置のずれ」から、「不吐出ノズルの−Ｔ側の隣接ノズルの着弾位置のずれ」を減じることにより補正値を算出する。
【００５８】
ここで、算出部５２は、隣接ノズルの着弾位置のずれが生じた交差方向Ｔの向きが不吐出ノズルから離れる方向である場合には、交差方向Ｔの向きが不吐出ノズルに近付く方向である場合に比べて、補正強度が強くなるよう補正値を算出する。また、算出部５２は、隣接ノズルの着弾位置のずれが生じた交差方向Ｔの向きが不吐出ノズルに近付く方向である場合には、交差方向Ｔの向きが不吐出ノズルから離れる方向である場合に比べて、補正強度が弱くなるよう補正値を算出する。
【００５９】
以下、図３から図５に示す着弾位置のずれの一例を示す図を用いて、算出部５２により補正値が算出される流れについて説明する。
【００６０】
図３から図５においては、破線で示す円が、不吐出ノズルから吐出されなかったインク滴を概念的に示しており、実線で示す円が、隣接ノズルから吐出されたインク滴の一部を概念的に示している。
【００６１】
また、図３から図５においては、連帳紙Ｐにおける交差方向Ｔの中央付近から搬送方向Ｓに沿って延びる破線が、不吐出ノズルから吐出されなかったインク滴の理想の着弾位置である理想着弾位置Ｘを概念的に示している。
【００６２】
以下同様に、理想着弾位置Ｘの＋Ｔ側において搬送方向Ｓに沿って延びる一点鎖線が、不吐出ノズルの＋Ｔ側の隣接ノズルから吐出されるインク滴の理想の着弾位置である理想着弾位置Ｙを概念的に示している。理想着弾位置Ｘの−Ｔ側において搬送方向Ｓに沿って延びる一点鎖線が、不吐出ノズルの−Ｔ側の隣接ノズルから吐出されるインク滴の理想の着弾位置である理想着弾位置Ｚを概念的に示している。
【００６３】
さらに、図３から図５においては、搬送方向Ｓに沿って延びる二点鎖線が、不吐出ノズルの＋Ｔ側又は−Ｔ側の隣接ノズルから吐出されたインク滴の実際の着弾位置である実着弾位置Ｙ’又は実着弾位置Ｚ’を概念的に示している。そして、理想着弾位置Ｙと実着弾位置Ｙ’との交差方向Ｔの距離、及び、理想着弾位置Ｚと実着弾位置Ｚ’との交差方向Ｔの距離が着弾位置のずれであり、「不吐出ノズルの＋Ｔ側の隣接ノズルの着弾位置のずれ」から、「不吐出ノズルの−Ｔ側の隣接ノズルの着弾位置のずれ」を減じた値が補正値である。
【００６４】
図３に示す一例では、実着弾位置Ｙ’は理想着弾位置Ｙから＋Ｔ側にずれており、算出部５２は、その着弾位置のずれを「＋２」と算出する。また、実着弾位置Ｚ’は理想着弾位置Ｚから−Ｔ側にずれており、算出部５２は、その着弾位置のずれを「−１．５」と算出する。そして、算出部５２は、不吐出ノズルの＋Ｔ側の隣接ノズルの着弾位置のずれである「＋２」から、不吐出ノズルの−Ｔ側の隣接ノズルの着弾位置のずれである「−１．５」を減じることにより補正値「＋３．５」を算出する（＋２−（−１．５）＝＋３．５）。
【００６５】
図４に示す一例では、実着弾位置Ｙ’は理想着弾位置Ｙから−Ｔ側にずれており、算出部５２は、その着弾位置のずれを「−２」と算出する。また、実着弾位置Ｚ’は理想着弾位置Ｚから＋Ｔ側にずれており、算出部５２は、その着弾位置のずれを「＋１．５」と算出する。そして、算出部５２は、不吐出ノズルの＋Ｔ側の隣接ノズルの着弾位置のずれである「−２」から、不吐出ノズルの−Ｔ側の隣接ノズルの着弾位置のずれである「＋１．５」を減じることにより補正値「−３．５」を算出する（−２−（＋１．５）＝−３．５）。
【００６６】
図５に示す一例では、実着弾位置Ｙ’は理想着弾位置Ｙから−Ｔ側にずれており、算出部５２は、その着弾位置のずれを「−２」と算出する。また、実着弾位置Ｚ’は理想着弾位置Ｚから−Ｔ側にずれており、算出部５２は、その着弾位置のずれを「−１．５」と算出する。そして、算出部５２は、不吐出ノズルの＋Ｔ側の隣接ノズルの着弾位置のずれである「−２」から、不吐出ノズルの−Ｔ側の隣接ノズルの着弾位置のずれである「−１．５」を減じることにより補正値「−０．５」を算出する（−２−（−１．５）＝−０．５）。
【００６７】
補正テーブルの詳細については後述するが、第１の実施形態における補正強度は、「弱い」、「やや弱い」、「普通」、「やや強い」、「強い」の５種類が設けられている。そして、第１の実施形態では、補正値の正の値が大きくなるほど、補正強度の強い補正テーブルが用いられ、補正値の負の値が大きくなるほど、補正強度の弱い補正テーブルが用いられることとなっている。そのため、着弾位置のずれが不吐出ノズルから離れる方向に生じた図３に示す一例は、着弾位置のずれが不吐出ノズルに近付く方向に生じた図４に示す一例に比べて、補正強度が強くなるよう補正値が算出されている。
【００６８】
また、第１の実施形態では、補正強度が強くなるほど隣接ノズルから吐出されるインク滴のうち、小滴よりも大きい大滴が吐出される数を多くしている。さらに、第１の実施形態では、補正強度が弱くなるほど隣接ノズルから吐出されるインク滴のうち、小滴よりも大きい大滴が吐出される数を少なくしている。そのため、第１の実施形態では、補正強度が強くなるほど不吐出ノズル周辺の濃度が濃くなり、補正強度が弱くなるほど不吐出ノズル周辺の濃度が薄くなっている。
【００６９】
第１の実施形態では、算出部５２により算出された補正値が、「−４未満」の場合は「弱い」、「−４以上−１未満」の場合は「やや弱い」、「−１以上＋２未満」の場合は「普通」、「＋２以上＋５未満」の場合は「やや強い」、「＋５以上」の場合は「強い」の補正強度の補正テーブルにそれぞれ対応する。
【００７０】
次に、補正部５３について説明する。
補正部５３は、隣接ノズルに対応する画素の入力画素値を算出部５２により算出された補正値を用いて補正するものである。
【００７１】
具体的には、補正部５３は、不揮発性メモリ６２に記憶された元データテーブル及び調整値テーブルを用いて、各補正テーブルに格納される入力画素値に対応する出力画素値を生成する。
【００７２】
図６に示す元データテーブルは、着弾位置のずれを考慮しない場合における隣接ノズルに対応する画素の出力画素値が格納されたテーブルである。
元データテーブルは、インク滴の色（Ｃ、Ｍ、Ｙ、Ｋ）毎に応じた４種類がある。具体的には、図６（Ａ）はＣ（シアン）用、図６（Ｂ）はＭ（マゼンタ）用、図６（Ｃ）はＹ（イエロー）用、図６（Ｄ）はＫ（ブラック）用の元データテーブルである。
【００７３】
各元データテーブルには、着弾位置のずれを考慮しない場合における隣接ノズルに対応する画素の出力画素値が、入力画素値に対応して格納されている。具体的には、この出力画素値は、先打ちのインク滴、及び、先打ちのインク滴の後に連帳紙Ｐに着弾する後打ちのインク滴の各々に対応する４種類の識別番号（０番、１番、２番、３番）毎に分かれて格納されている。「１番」及び「３番」の奇数の識別番号は、先打ちのインク滴に対応したものであり、「０番」及び「２番」の偶数の識別番号は、後打ちのインク滴に対応したものである。先打ちのインク滴は第１の液滴の一例であり、後打ちのインク滴は第２の液滴の一例である。
【００７４】
上記のように、元データテーブルには、隣接ノズルに対応する画素の出力画素値が格納されているため、この出力画素値を用いて連帳紙Ｐに画像を形成することで、不吐出ノズルにより発生する白筋を目立たなくすることも可能である。ただし、元データテーブルに格納された出力画素値は、着弾位置のずれが考慮されていないため、以下の調整値テーブルに格納された調整値を用いて着弾位置のずれを考慮することが望ましい。
そこで、補正部５３は、算出部５２により算出された補正値を用いて調整値テーブルに格納された調整値を決定し、当該決定した調整値を元データテーブルに格納された出力画素値に加算することで、着弾位置のずれを考慮した出力画素値を生成している。
【００７５】
図７から図１０に示す調整値テーブルは、着弾位置のずれを考慮して隣接ノズルに対応する画素の出力画素値を生成するための調整値が格納されたテーブルである。調整値には、「０」、「負数」、及び「正数」の３種類がある。
【００７６】
調整値テーブルは、インク滴の色（Ｃ、Ｍ、Ｙ、Ｋ）毎に応じた４種類がある。図７はＣ（シアン）用、図８はＭ（マゼンタ）用、図９はＹ（イエロー）用、図１０はＫ（ブラック）用の調整値テーブルである。
【００７７】
インク滴の各色の調整値テーブルには、更に、各識別番号（０番、１番、２番、３番）に対応する４種類のテーブルがある。このように、調整値テーブルは、インク滴の色（Ｃ、Ｍ、Ｙ、Ｋ）毎に応じた４種類があり、更に、この４種類の調整値テーブルの中に、各識別番号（０番、１番、２番、３番）に対応する４種類のテーブルがある。
【００７８】
そして、各調整値テーブルには、隣接ノズルに対応する画素の入力画素値に対応する調整値が格納されている。具体的には、この調整値は、５種類の補正強度（弱い、やや弱い、普通、やや強い、強い）毎に分かれて格納されている。
【００７９】
例えば、図７（Ａ）に示すように、「補正強度：弱い」及び「補正強度：やや弱い」に対応する調整値としては「０」又は「負数（−４又は−２）」が格納されている。また、「補正強度：普通」に対応する調整値としては「０」が格納されている。さらに、「補正強度：やや強い」及び「補正強度：強い」に対応する調整値としては「０」又は「正数（２又は４）」が格納されている。
【００８０】
そのため、補正部５３は、補正強度が「弱い」から「強い」に向かうにつれ、隣接ノズルに対応する画素の出力画素値を大きく生成し、補正強度が「強い」から「弱い」に向かうにつれ、隣接ノズルに対応する画素の出力画素値が小さく生成しているといえる。
【００８１】
図１１から図１５に示す補正テーブルは、補正部５３により、調整値を元データテーブルに格納された出力画素値に加算して生成された、着弾位置のずれを考慮した出力画素値（以下、「補正後の出力画素値」とする）が格納されたテーブルである。
【００８２】
補正テーブルは、補正強度の強弱に応じて、「補正強度：弱い」、「補正強度：やや弱い」、「補正強度：普通」、「補正強度：やや強い」、「補正強度：強い」の５種類が設けられている。具体的には、図１１は「補正強度：弱い」用、図１２は「補正強度：やや弱い」用、図１３は「補正強度：普通」用、図１４は「補正強度：やや強い」用、図１５は「補正強度：強い」用の補正テーブルである。
【００８３】
各補正テーブルには、補正後の出力画素値が、隣接ノズルに対応する画素の入力画素値に対応して格納されている。具体的には、この出力画素値は、インク滴の色（Ｃ、Ｍ、Ｙ、Ｋ）毎に分かれて格納されている。なお、補正テーブルに格納されている補正後の出力画素値には、入力画素値と出力画素値とが等しいもの、出力画素値が入力画素値よりも大きいもの、及び出力画素値が入力画素値よりも小さいものがある。補正後の出力画素値は補正情報の一例である。
【００８４】
そして、補正テーブルでは、インク滴の色（Ｃ、Ｍ、Ｙ、Ｋ）毎に、格納されている補正後の出力画素値の値が異なっている。例えば、図１１（Ｂ）に示すように、入力画素値が１９０である場合には、Ｃ（シアン）の出力画素値は「１９３」となり、Ｍ（マゼンタ）の出力画素値は「１８９」となり、Ｙ（イエロー）の出力画素値は「１９２」となり、Ｋ（ブラック）の出力画素値は「１８８」となる。
【００８５】
また、各補正強度の補正テーブルは、更に、各識別番号（０番、１番、２番、３番）に対応する４種類のテーブルに分かれている。
以上のように、第１の実施形態では、補正強度の強弱に応じた５種類の補正テーブルがあり、更に、この５種類の補正テーブルの中に、先打ちのインク滴、後打ちのインク滴の各々に対応する４種類の補正テーブルがある。
【００８６】
以下、一例として、補正部５３により、「補正強度：弱い」かつ「０番」の補正テーブル（図１１（Ａ）参照）における入力画素値「５」に対応するＣ（シアン）の出力画素値「８」が生成される流れについて説明する。
【００８７】
まず、補正部５３は、図６（Ａ）に示すＣ（シアン）のインク滴の元データテーブルから、入力画素値「５」の場合における「０番」の補正テーブルに対応する出力画素値「８」を読み出す。また、補正部５３は、図７（Ａ）に示すＣ（シアン）のインク滴の調整値テーブルから、入力画素値「５」の場合における「補正強度：弱い」の補正テーブルに対応する調整値「０」を読み出す。その後、補正部５３は、上記で読み出した出力画素値「８」に調整値「０」を加算した値「８」を、図１１（Ａ）に示す「補正強度：弱い」かつ「０番」の補正テーブルにおける入力画素値「５」に対応するＣ（シアン）の出力画素値の領域に格納する。これにより、このＣ（シアン）の出力画素値の領域には、補正後の出力画素値「８」が格納される。
【００８８】
そして、補正部５３は、上記の処理を繰り返して行うことにより、各補正テーブルに格納される補正後の出力画素値を生成する。
【００８９】
また、補正部５３は、補正強度の強弱に応じた５種類の補正テーブルから、算出部５２により算出された補正値を用いて、当該補正で用いる補正テーブルを決定する。そして、補正部５３は、当該決定した補正テーブルの中から、対応する補正後の出力画素値を用いて、ヘッドユニット２６に画像を形成させる。
【００９０】
まず、補正部５３は、算出部５２により算出された補正値が、「−７以上−４未満」の場合には「弱い」、「−４以上−１未満」の場合には「やや弱い」、「−１以上＋２未満」の場合には「普通」、「＋２以上＋５未満」の場合には「やや強い」、「＋５以上＋８未満」の場合には「強い」の補正強度の補正テーブルに決定する。なお、補正部５３は、補正値が「−７」よりも小さい場合には「補正強度：弱い」の補正テーブルに決定したり、補正値が「＋８」よりも大きい場合には「補正強度：強い」の補正テーブルに決定したりしてもよいし、エラーとして補正テーブルの決定を行わなくてもよい。
【００９１】
例えば、補正部５３は、算出部５２により算出された補正値が「−５」の場合には「補正強度：弱い」の補正テーブルに決定し、この補正テーブルに格納された補正後の出力画素値を用いてヘッドユニット２６に画像を形成させる。
以下、後打ちのインク滴を吐出するヘッドユニット２６のノズル（ノズル番号「６」）が不吐出ノズルとなり、先打ちのインク滴が補正滴となった場合を例にして説明する。
【００９２】
補正部５３は、不吐出ノズル（ノズル番号「６」）の＋Ｔ側の隣接ノズル（ノズル番号「５」）に対応する補正テーブルを、図１１（Ｂ）に示す「１番」の補正テーブルに設定する。同様に、補正部５３は、不吐出ノズル（ノズル番号「６」）の−Ｔ側の隣接ノズル（ノズル番号「７」）に対応する補正テーブルを、図１１（Ｄ）に示す「３番」の補正テーブルに設定する。
【００９３】
そして、入力画素値が１９０である場合、ヘッドユニット２６は、図１１（Ｂ）に示すように、隣接ノズル（ノズル番号「５」）の出力画素値をＣ：１９３、Ｍ：１８９、Ｙ：１９２、Ｋ：１８８として画像を形成する。同様に、入力画素値が１９０である場合、ヘッドユニット２６は、図１１（Ｄ）に示すように、隣接ノズル（ノズル番号「７」）の出力画素値をＣ：１９７、Ｍ：１８９、Ｙ：１９６、Ｋ：１８８として画像を形成する。
【００９４】
（第１の実施形態の作用効果）
算出部５２は、着弾位置のずれを用いて隣接ノズルに対応する画素の入力画素値を補正するための補正値を算出し、補正部５３は、算出部５２により算出された補正値を用いて隣接ノズルに対応する画素の入力画素値を補正する。
【００９５】
つまり、第１の実施形態では、隣接ノズルに対応する画素の入力画素値を補正する際に着弾位置のずれを考慮している。例えば、算出部５２は、不吐出ノズルの＋Ｔ側及び−Ｔ側の隣接ノズルの着弾位置のずれが不吐出ノズルから離れる方向に生じた場合には、補正値を正数で算出する。そして、第１の実施形態では、補正値の正の値が大きくなるほど補正強度の強い補正テーブルが用いられ、不吐出ノズル周辺の濃度を濃くすることができる。これにより、第１の実施形態では、例えば、不吐出ノズルの＋Ｔ側及び−Ｔ側の隣接ノズルの着弾位置のずれが不吐出ノズルから離れる方向に生じても、その着弾位置のずれを考慮して不吐出ノズル周辺の濃度を調整できる。
【００９６】
そのため、第１の実施形態によれば、不吐出ノズルにより発生する白筋を目立たなくする補正を行う場合において、不吐出ノズルに隣接する隣接ノズルから吐出されるインク滴の着弾位置がずれた際における補正効果の低下を抑制できる。
【００９７】
算出部５２は、搬送方向Ｓに対する交差方向Ｔに着弾位置のずれが生じた場合、交差方向Ｔの向きに応じて、補正部５３により行われる補正の補正強度が変化するよう補正値を算出する。
【００９８】
具体的には、算出部５２は、隣接ノズルの着弾位置のずれが不吐出ノズルから離れる方向に生じた場合には、隣接ノズルの着弾位置のずれが生じない場合に比べて、補正強度が強くなるよう補正値を算出する。また、算出部５２は、隣接ノズルの着弾位置のずれが不吐出ノズルに近付く方向に生じた場合には、隣接ノズルの着弾位置のずれが生じない場合に比べて、補正強度が弱くなるよう補正値を算出する。
【００９９】
そのため、第１の実施形態によれば、着弾位置のずれが生じた交差方向Ｔの向きにかかわらず、一律に補正強度を一方向に変化させる構成に比べて、着弾位置のずれに応じた補正強度で補正を行うことができる。
【０１００】
また、第１の実施形態では、例えば、不吐出ノズルの＋Ｔ側及び−Ｔ側の隣接ノズルの着弾位置のずれが不吐出ノズルから離れる方向に生じても、その着弾位置のずれを考慮して不吐出ノズル周辺の濃度を濃くすることで、着弾位置のずれに対処している。これにより、第１の実施形態では、隣接ノズルの着弾位置のずれが不吐出ノズルから離れる方向に生じても、不吐出ノズルにより発生する白筋を目立たなくすることができる。
【０１０１】
そのため、第１の実施形態によれば、隣接ノズルの着弾位置のずれが不吐出ノズルから離れる方向に生じた場合に、隣接ノズルの着弾位置のずれが生じない場合よりも補正強度が弱い補正値が算出される構成に比べて、補正後に白筋が残ることを抑制できる。
【０１０２】
また、第１の実施形態では、例えば、不吐出ノズルの＋Ｔ側及び−Ｔ側の隣接ノズルの着弾位置のずれが不吐出ノズルに近付く方向に生じても、その着弾位置のずれを考慮して不吐出ノズル周辺の濃度を薄くすることで、着弾位置のずれに対処している。これにより、第１の実施形態では、隣接ノズルの着弾位置のずれが不吐出ノズルから近付く方向に生じても、補正滴が合一することにより必要以上に不吐出ノズル周辺の濃度が濃くなることを抑制できる。
【０１０３】
そのため、第１の実施形態によれば、隣接ノズルの着弾位置のずれが不吐出ノズルに近付く方向に生じた場合に、隣接ノズルの着弾位置のずれが生じない場合よりも補正強度が強い補正値が算出される構成に比べて、補正後に黒筋が発生することを抑制できる。
【０１０４】
また、第１の実施形態では、算出部５２は、更に、隣接ノズルに対応する画素の入力画素値を用いて補正値の算出を行っている。
【０１０５】
具体的には、算出部５２は、隣接ノズルに対応する画素の入力画素値が「０以上１００以下」又は「２００以上２５５以下」の場合には、着弾位置のずれにかかわらず、補正値を「−５」と算出する。上記のように、補正値が「−５」の場合には、補正部５３により、当該補正で用いる補正テーブルが「補正強度：弱い」の補正テーブルに決定される。つまり、算出部５２は、隣接ノズルに対応する画素の入力画素値が「０以上１００以下」又は「２００以上２５５以下」の場合には、当該補正で「補正強度：弱い」の補正テーブルが用いられるよう補正値を算出している。
【０１０６】
これにより、第１の実施形態では、例えば、隣接ノズルに対応する画素の入力画素値が低い場合（例：入力画素値「０以上１００以下」）や、高い場合（例：入力画素値「２００以上２５５以下」）に、必要以上に不吐出ノズル周辺の濃度が濃くなることを抑制できる。そのため、第１の実施形態によれば、補正値の算出に隣接ノズルに対応する画素の入力画素値を用いない構成に比べて、隣接ノズルに対応する画素の入力画素値に応じた補正強度で補正を行うことができる。
【０１０７】
また、第１の実施形態では、算出部５２は、更に、着弾干渉を考慮して補正値の算出を行っている。第１の実施形態では、算出部５２は、着弾干渉として、後打ちのインク滴が補正滴となった場合を考慮して補正値の算出を行っている。
【０１０８】
ここで、後打ちのインク滴は、先打ちのインク滴よりもインクの動的表面張力が高く、先打ちのインク滴と後打ちのインク滴とが合一する際には、後打ちのインク滴が先打ちのインク滴側へ引き寄せられやすいと考えられている。
【０１０９】
そして、後打ちのインク滴が先打ちのインク滴側へ引き寄せられ、先打ちのインク滴と後打ちのインク滴とが合一した場合には、実際に着弾した位置よりも先打ちのインク滴側へずれて後打ちのインク滴が位置することとなる。つまり、先打ちのインク滴と後打ちのインク滴とが合一した場合には、補正滴となる後打ちのインク滴が不吐出ノズルに対応する画素から離れてしまう。
【０１１０】
そこで、算出部５２は、先打ちのインク滴を吐出するヘッドユニット２６のノズルが不吐出ノズルとなり、この不吐出ノズルに隣接する隣接ノズルから吐出される後打ちのインク滴が補正滴となった場合には、その後打ちのインク滴に対し、先打ちのインク滴が補正滴となった場合に比べて、補正部５３により行われる補正の補正強度が強くなるよう補正値を算出する。この場合、算出部５２は、後打ちのインク滴を吐出する隣接ノズルの着弾位置のずれに「＋３」を加算して補正値を算出する。つまり、この場合における補正値は、「（不吐出ノズルの＋Ｔ側の隣接ノズルの着弾位置のずれ）−（不吐出ノズルの−Ｔ側の隣接ノズルの着弾位置のずれ）＋（＋３）」により算出される。
【０１１１】
上記のように、着弾位置のずれに「＋３」を加算して補正滴となる後打ちのインク滴で用いる補正値が算出されると、着弾位置のずれに「＋３」が加算されずに補正滴となった先打ちのインク滴よりも、一段階強い補正強度の補正テーブルが当該補正で用いる補正テーブルとして補正部５３により決定される。つまり、算出部５２は、後打ちのインク滴が補正滴となった場合には、その後打ちのインク滴に対し、先打ちのインク滴が補正滴となった場合よりも一段階強い補正強度の補正テーブルが用いられるよう補正値を算出している。
【０１１２】
以上のように構成されているため、第１の実施形態によれば、補正値の算出に着弾干渉を考慮しない構成に比べて、着弾干渉が生じた場合でも、精度よく不吐出ノズルにより発生する白筋を目立たなくすることができる。
【０１１３】
具体的には、第１の実施形態では、後打ちのインク滴に対する補正強度を予め強く設定し、着弾干渉を考慮して不吐出ノズル周辺の濃度を濃くすることで、着弾干渉に対処している。そのため、第１の実施形態によれば、後打ちのインク滴が補正滴となった場合に、その後打ちのインク滴に対して、先打ちのインク滴が補正滴となった場合よりも補正強度が弱い補正値が算出される構成に比べて、精度よく不吐出ノズルにより発生する白筋を目立たなくすることができる。
【０１１４】
補正部５３は、補正強度の強弱に応じた５種類の補正テーブルから、算出部５２により算出された補正値を用いて、当該補正で用いる補正テーブルを決定する。そして、補正部５３は、当該決定した補正テーブルの中に格納されている入力画素値に対応する出力画素値を用いて、ヘッドユニット２６に画像を形成させる。
【０１１５】
つまり、第１の実施形態では、隣接ノズルに対応する画素に画像を形成する都度、当該出力する画素値を算出する必要がなく、既に格納されている入力画素値に対応する補正後の出力画素値を選択して、その出力画素値でヘッドユニット２６に画像を形成させればよい。そのため、第１の実施形態によれば、隣接ノズルに対応する画素に画像を形成する都度、隣接ノズルに対応する画素の画素値を算出する構成に比べて、簡易に隣接ノズルに対応する画素に画像を形成できる。
【０１１６】
（第２の実施形態）
本実施の形態の第２の実施形態について、第１の実施形態との重複部分を省略又は簡略しつつ説明する。
第２の実施形態における画像形成装置１０は、非浸透性の記録媒体の一例として、コート紙に画像を形成する。「非浸透性の記録媒体」とは、非浸透性の記録媒体以外の記録媒体である普通紙等よりも液体の浸透が遅い記録媒体をいう。なお、非浸透性の記録媒体の一例としては、コート紙の他に、樹脂、金属、ガラス、セラミックス、シリコン、ゴム等を材料とするフィルム、板等が挙げられる。
【０１１７】
そして、第２の実施形態における算出部５２は、着弾干渉として、コート紙を用いた場合を考慮して補正値の算出を行っている。
【０１１８】
ここで、コート紙にインク滴が吐出された場合には、コート紙以外の用紙にインク滴が吐出された場合に比べて、インク滴が用紙に浸透しにくいため、コート紙の表面にインク滴が高さを持って残存することがある。そして、この場合には、コート紙の表面に残存する先打ちのインク滴に後打ちのインク滴が引き寄せられ、先打ちのインク滴と後打ちのインク滴とが合一する着弾干渉が生じることがある。
【０１１９】
上記の着弾干渉が生じた場合には、第１の実施形態と同様に、実際に着弾した位置よりも先打ちのインク滴側へずれて後打ちのインク滴が位置し、補正滴となる後打ちのインク滴が不吐出ノズルに対応する画素から離れてしまうことがある。
【０１２０】
そこで、算出部５２は、コート紙を用いた場合には、コート紙以外の用紙を用いた場合に比べて、補正部５３により行われる補正の補正強度が強くなるよう補正値を算出する。
【０１２１】
具体的には、算出部５２は、隣接ノズルの着弾位置のずれに「＋３」を加算して補正値を算出する。第２の実施形態でも、第１の実施形態と同様に、着弾位置のずれに「＋３」を加算して補正値が算出されると、着弾位置のずれに「＋３」が加算される前よりも、一段階強い補正強度の補正テーブルが当該補正で用いる補正テーブルとして補正部５３により決定される。つまり、算出部５２は、コート紙を用いる第２の実施形態では、コート紙以外の用紙（連帳紙Ｐ）を用いる第１の実施形態よりも一段階強い補正強度の補正テーブルが用いられるよう補正値を算出している。
【０１２２】
上記のように、第２の実施形態では、コート紙以外の用紙を用いた場合に比べて補正強度を予め強く設定し、着弾干渉を考慮して不吐出ノズル周辺の濃度を濃くすることで、着弾干渉に対処している。
【０１２３】
そのため、第２の実施形態によれば、コート紙を用いた場合に、コート紙以外の用紙を用いた場合よりも補正強度が弱い補正値が算出される構成に比べて、コート紙を用いた場合でも、精度よく不吐出ノズルにより発生する白筋を目立たなくすることができる。
【０１２４】
第２の実施形態における補正部５３は、補正部５３により行われる補正に関する補正情報としての入力画素値に対応する乗算値が格納された補正テーブルから、当該補正で用いる乗算値を決定する。
【０１２５】
具体的には、補正部５３は、図１６に示すように、入力画素値が「０以上１００未満」の場合には乗算値を「１．２」に決定し、入力画素値が「１００以上２００未満」の場合には乗算値を「１．５」に決定し、入力画素値が「２００以上２５５以下」の場合には乗算値を「１．３」に決定する。
【０１２６】
また、補正部５３は、当該決定した乗算値及び算出部５２により算出された補正値を用いて、隣接ノズルに対応する画素の入力画素値を補正し、入力画素値に対応する出力画素値を生成する。
【０１２７】
ここで、第２の実施形態における補正後の出力画素値の算出式は、以下のようになっている。
【０１２８】
出力画素値＝入力画素値＋基本値＋補正値＊乗算値
【０１２９】
基本値とは、入力画素値、補正値、及び乗算値の数値にかかわらず、隣接ノズルに対応する画素の入力画素値に加算する固定値であり、補正部５３の所定の記憶領域に格納されている。第２の実施形態では、基本値が「＋１０」に設定されている。
【０１３０】
なお、補正部５３は、上記の演算を行うことにより小数点以下が生じる場合には、小数点第１位で四捨五入を行う。
【０１３１】
補正部５３は、例えば、入力画素値が「１００」であり、補正値が「＋５」である場合には、補正後の出力画素値を「１１８」と算出する（１００＋１０＋（＋５＊１．５）＝１１８）。なお、上記の補正値「＋５」は、算出部５２により、隣接ノズルの着弾位置のずれである「＋２」に、コート紙を考慮した「＋３」が加算されることにより算出されている。
【０１３２】
上記のように、第２の実施形態における補正部５３は、補正後の出力画素値を、入力画素値、基本値、補正値、及び乗算値を用いた演算により算出している。
【０１３３】
そして、第２の実施形態における補正値は、複数の補正テーブルの中から対応する一の補正テーブルを決定するための閾値ではなく、補正後の出力画素値を算出する際に直接用いられる値といえる。
【０１３４】
そのため、第２の実施形態によれば、一定の補正値の範囲内で共通の補正強度で補正を行う構成に比べて、精度よく隣接ノズルに対応する画素の画素値の補正を行うことができる。
【０１３５】
（その他）
上記の実施形態では、算出部５２は、着弾位置のずれを用いて隣接ノズルに対応する画素の入力画素値を補正するための補正値を算出し、補正部５３は、算出部５２により算出された補正値を用いて、不吐出ノズルの＋Ｔ側及び−Ｔ側の隣接ノズルに対応する画素の入力画素値を補正するとした。例えば、上記の実施形態では、補正値が「−５」である場合、不吐出ノズルの＋Ｔ側及び−Ｔ側の双方の隣接ノズルで「補正強度：弱い」の補正テーブルを用いることとした。
【０１３６】
しかし、これに限らず、算出部５２は、不吐出ノズルの＋Ｔ側及び−Ｔ側の各々の隣接ノズルで補正値を算出し、補正部５３は、算出部５２により算出された各補正値を用いて、各々の隣接ノズルに対応する画素の入力画素値を補正してもよい。この際には、算出部５２は、不吐出ノズルから離れる方向に隣接ノズルの着弾位置のずれが生じた場合には、その着弾位置のずれを正数で補正値として算出し、不吐出ノズルに近付く方向に隣接ノズルの着弾位置のずれが生じた場合には、その着弾位置のずれを負数で補正値として算出してもよい。
【０１３７】
上記のように構成すれば、不吐出ノズルの＋Ｔ側及び−Ｔ側の各々の隣接ノズルで補正強度の異なる補正テーブルに決定しつつ、補正値の正の値が大きくなるほど補正強度の強い補正テーブルを用い、補正値の負の値が大きくなるほど補正強度の弱い補正テーブルを用いることができる。
【０１３８】
上記の実施形態では、補正部５３は、元データテーブル及び調整値テーブルを用いて、各補正テーブルに格納される入力画素値に対応する出力画素値を生成することとした。しかし、元データテーブル及び調整値テーブルを備えずに、着弾位置のずれが予め考慮された隣接ノズルに対応する画素の出力画素値が格納された補正テーブルのみを備える構成としてもよい。
【符号の説明】
【０１３９】
１０  画像形成装置
２６  ヘッドユニット（画像形成部の一例）
５２  算出部
５３  補正部
【図１】
2020026076.tif 000003
【図２】
2020026076.tif 000004
【図３】
2020026076.tif 000005
【図４】
2020026076.tif 000006
【図５】
2020026076.tif 000007
【図６】
2020026076.tif 000008
【図７】
2020026076.tif 000009
【図８】
2020026076.tif 000010
【図９】
2020026076.tif 000011
【図１０】
2020026076.tif 000012
【図１１】
2020026076.tif 000013
【図１２】
2020026076.tif 000014
【図１３】
2020026076.tif 000015
【図１４】
2020026076.tif 000016
【図１５】
2020026076.tif 000017
【図１６】
2020026076.tif 000018